(57)【要約】【課題】訓練装置で、データの作成、表示方法等の効率化を図り、また、データ値の信頼性を考慮して、実践に近い訓練を行う。【解決手段】訓練装置は、解析によって得たプラントの挙動を表すパラメータのデータ値を時系列に記録したシナリオデータを保存するシナリオデータ保存部１と、シナリオデータにデータ値の信頼性指標を示す情報を追加する信頼性情報設定部２と、信頼性指標を示す情報をシナリオデータに追加して作成した訓練用データを保存する訓練用データ保存部３と、信頼性指標を示す情報とともに訓練用データを表示する表示部４と、を備える。表示部はシナリオデータを所定の時間間隔で更新しながら表示するものであり、表示部に表示するシナリオデータの更新条件を設定する表示条件設定部５をも備える。【選択図】　図１
2004037847.tif 000002
【特許請求の範囲】
【請求項１】
解析によって得たプラントの挙動を表す複数のパラメータのデータ値を時系列に記録したシナリオデータを保存するシナリオデータ保存部と、
前記シナリオデータにデータ値の信頼性指標を示す情報を追加する信頼性情報設定部と、
前記信頼性指標を示す情報を前記シナリオデータに追加して作成した訓練用データを保存する訓練用データ保存部と、
前記信頼性指標を示す情報とともに前記訓練用データの少なくとも一部を表示する表示部と、
を備えること、を特徴とする訓練装置。
【請求項２】
請求項１に記載の訓練装置において、前記信頼性指標は、前記データ値が所定の範囲外にある場合に信頼性がないと判断するものであること、を特徴とする訓練装置。
【請求項３】
請求項１に記載の訓練装置において、前記信頼性指標は、所定の期間内は信頼性がないと判断するものであること、を特徴とする訓練装置。
【請求項４】
解析によって得たプラントの挙動を表す複数のパラメータのデータ値を時系列に記録したシナリオデータを保存するシナリオデータ保存部と、
前記シナリオデータの少なくとも一部を所定の時間間隔で更新しながら表示する表示部と、
前記表示部に表示する前記シナリオデータの更新条件を設定する表示条件設定部と、
を備えること、を特徴とする訓練装置。
【請求項５】
請求項４に記載の訓練装置において、表示条件設定部は、前記時系列に記憶されたシナリオデータのうちから時間的に所定間隔ごとのデータを選択するように設定できるものであること、を特徴とする訓練装置。
【請求項６】
請求項４または５に記載の訓練装置において、表示条件設定部は、前記シナリオデータが前記表示部に表示されているときに前記シナリオデータの更新条件を変更できるように構成されていること、を特徴とする訓練装置。
【請求項７】
請求項４ないし６のいずれかに記載の訓練装置において、表示条件設定部は、前記表示部に前記シナリオデータのトレンドグラフが表示されている状態で、設定できるものであること、を特徴とする訓練装置。
【請求項８】
請求項４または６に記載の訓練装置において、表示条件設定部は、前記時系列に記憶されたシナリオデータのうちから時間的に所定間隔ごとの期間を区切り、各パラメータごとの各期間の最大値および最小値を選択するように設定できるものであること、を特徴とする訓練装置。
【請求項９】
請求項４または６に記載の訓練装置において、前記表示条件設定部は、前記時系列に記憶されたシナリオデータのうちから時間的に所定間隔ごとの期間を区切り、前記複数のパラメータのうちの一つの特定のパラメータが各期間に最大値および最小値を取るタイミングを選択し、この選択されたタイミングで、前記表示部に表示されるすべてのパラメータのデータを選択するように設定できるものであること、を特徴とする訓練装置。
【請求項１０】
請求項４ないし９のいずれかに記載の訓練装置において、
前記表示部で表示される表示内容および前記表示条件設定部で設定される更新条件に関する情報を通信回線を通じて送受信するための配信部と、
前記通信回線を通じて前記情報を前記配信部との間で送受信して、前記表示内容の表示および前記更新条件の設定を行う端末装置と、
をさらに有すること、を特徴とする訓練装置。
【請求項１１】
請求項４ないし１０のいずれかに記載の訓練装置において、
前記シナリオデータにデータ値の信頼性指標を示す情報を追加する信頼性情報設定部と、
前記信頼性指標を示す情報を前記シナリオデータに追加して作成した訓練用データを保存する訓練用データ保存部と、
を備え、
前記表示部は、前記信頼性指標を示す情報とともに前記訓練用データの少なくとも一部を表示するものであること、
を特徴とする訓練装置。
【発明の詳細な説明】
【０００１】
【発明の属する技術分野】
本発明は、防災の訓練等に用いられる訓練装置に関する。
【０００２】
【従来の技術】
近年、原子力防災に対する関心が高まり、電気事業者の訓練はもちろん、国が主催する、自治体、電気事業者、住民、他が参加しての防災訓練も実施されるようになってきた。２０００年には原子力防災措置法も施行され、原子力防災に対する法律も整備されてきている。
【０００３】
原子力防災訓練をより実践的に行うためには、プラント事象の模擬を行う必要性があるが、実際のプラント挙動は時間が長く、通常の訓練時間内に入りきらないため、事前に一部データを削除するなどして訓練時間に合わせたデータを作成し、訓練を行うのが普通である。
【０００４】
このような、防災訓練の訓練用データを編集し、プラントパラメータを表示し、防災訓練に使用するものとのして、（社）日本原子力学会「２００１秋の大会」予稿（Ｈ４０）「原子力防災訓練用運転パラメータ表示プログラムの開発」には、ＭＡＡＰ４コードによる解析データをもとに実時間に沿ってデータを表示するという技術が開示されている。
【０００５】
【発明が解決しようとする課題】
しかしながら、上述の技術では、訓練時間に合わせて事象進展の一部を省略する際、数値データを見ながらデータを削除していくため、事前に準備したデータどおりでしか表示できず、急な変更には対応できない、また、遠隔地に同じデータを表示する手段を備えていないため、複数箇所での同時訓練には不向きである。
【０００６】
さらに、解析コードでは、実際のプラントで測定できない範囲の値でも計算によって出力してしまう。また、プラントの緊急時で機器が正常に動作していないような事象で、機器の故障等でデータ値が取得できないような事態は模擬することができない。そのため、その解析データを使用して防災訓練を実施しても実態と異なってしまう可能性がある。
【０００７】
そこで、本発明は、上記課題を解決するために、訓練用データの作成とデータ発生、表示方法の効率化を図り、また、データ値の信頼性を考慮して、より実践に近い訓練を行うことが可能な訓練装置を提供することを目的とする。
【０００８】
【課題を解決するための手段】
本発明は上記目的を達成するものであって、請求項１に記載の発明は、解析によって得たプラントの挙動を表す複数のパラメータのデータ値を時系列に記録したシナリオデータを保存するシナリオデータ保存部と、前記シナリオデータにデータ値の信頼性指標を示す情報を追加する信頼性情報設定部と、前記信頼性指標を示す情報を前記シナリオデータに追加して作成した訓練用データを保存する訓練用データ保存部と、前記信頼性指標を示す情報とともに前記訓練用データの少なくとも一部を表示する表示部と、を備えること、を特徴とする。
【０００９】
請求項１の発明によれば、解析コードで作り出したシナリオデータにデータ値の信頼性情報を付加することにより、実際のプラントから得られるプロセス値に近いものとなり、より実践に近い訓練を行うことが可能となる。
【００１０】
また、請求項２に記載の発明は、請求項１に記載の訓練装置において、前記信頼性指標は、前記データ値が所定の範囲外にある場合に信頼性がないと判断するものであること、を特徴とする。請求項２の発明によれば、請求項１の発明による作用・効果が得られるほか、データ値として異常な値を排除して、より実践に近い訓練を行うことが可能となる。
【００１１】
また、請求項３に記載の発明は、請求項１に記載の訓練装置において、前記信頼性指標は、所定の期間内は信頼性がないと判断するものであること、を特徴とする。請求項３の発明によれば、請求項１の発明による作用・効果が得られるほか、データ値が異常な期間を指定することによって、計測器の故障期間などを考慮して、より実践に近い訓練を行うことが可能となる。
【００１２】
また、請求項４に記載の発明は、解析によって得たプラントの挙動を表す複数のパラメータのデータ値を時系列に記録したシナリオデータを保存するシナリオデータ保存部と、前記シナリオデータの少なくとも一部を所定の時間間隔で更新しながら表示する表示部と、前記表示部に表示する前記シナリオデータの更新条件を設定する表示条件設定部と、を備えること、を特徴とする。請求項４の発明によれば、データの表示速度を任意に設定することにより、例えばプラント挙動変化に合わせて、挙動変化の多い部分は低速で、変化の少ない部分は高速で表示するため、訓練時間が短い場合でも、防災訓練を、効率よく効果的に行うことが可能となる。
【００１３】
また、請求項５に記載の発明は、請求項４に記載の訓練装置において、表示条件設定部は、前記時系列に記憶されたシナリオデータのうちから時間的に所定間隔ごとのデータを選択するように設定できるものであること、を特徴とする。請求項５の発明によれば、請求項４の発明による作用・効果が得られるほか、表示負荷を上げることなく、スムーズな画面の更新を行うことが可能となる。
【００１４】
また、請求項６に記載の発明は、請求項４または５に記載の訓練装置において、表示条件設定部は、前記シナリオデータが前記表示部に表示されているときに前記シナリオデータの更新条件を変更できるように構成されていること、を特徴とする。請求項６の発明によれば、請求項４または５の発明による作用・効果が得られるほか、その場の状況に応じて訓練用データの表示速度を任意に変えることができるため、訓練中の急な変更にも柔軟に対応できるばかりでなく、例えば、訓練前の準備の段階で訓練用データを表示確認する際にも、注意したい部分を低速で、挙動のなだらかな部分を高速で表示進展させながら、事前の準備段階の確認も効率よくできる。
【００１５】
また、請求項７に記載の発明は、請求項４ないし６のいずれかに記載の訓練装置において、表示条件設定部は、前記表示部に前記シナリオデータのトレンドグラフが表示されている状態で、設定できるものであること、を特徴とする。請求項７の発明によれば、請求項４ないし６のいずれかの発明による作用・効果が得られるほか、プラント挙動の変化に合わせた、早回し、間引き等の設定を簡単に行うことができる。
【００１６】
また、請求項８に記載の発明は、請求項４または６に記載の訓練装置において、表示条件設定部は、前記時系列に記憶されたシナリオデータのうちから時間的に所定間隔ごとの期間を区切り、各パラメータごとの各期間の最大値および最小値を選択するように設定できるものであること、を特徴とする。請求項８の発明によれば、請求項４または６の発明による作用・効果が得られるほか、データの全体の間引き率を変えることなく、上限値、下限値の両方を考慮したデータの間引きを行うことができる。
【００１７】
また、請求項９に記載の発明は、請求項４または６に記載の訓練装置において、前記表示条件設定部は、前記時系列に記憶されたシナリオデータのうちから時間的に所定間隔ごとの期間を区切り、前記複数のパラメータのうちの一つの特定のパラメータが各期間に最大値および最小値を取るタイミングを選択し、この選択されたタイミングで、前記表示部に表示されるすべてのパラメータのデータを選択するように設定できるものであること、を特徴とする。
【００１８】
請求項９の発明によれば、請求項４または６の発明による作用・効果が得られるほか、データの間引きを行う際に、事象の特徴に合った特定のパラメータに注目して、そのパラメータの、上限値、下限値を示す時刻位置に合わせてデータを抽出して間引くことにより、同一時刻での各パラメータの相互関係を損ねることなく、事象の特徴を反映してデータを間引くことが可能となる。
【００１９】
また、請求項１０に記載の発明は、請求項４ないし９のいずれかに記載の訓練装置において、前記表示部で表示される表示内容および前記表示条件設定部で設定される更新条件に関する情報を通信回線を通じて送受信するための配信部と、前記通信回線を通じて前記情報を前記配信部との間で送受信して、前記表示内容の表示および前記更新条件の設定を行う端末装置と、をさらに有すること、を特徴とする。
【００２０】
請求項１０の発明によれば、請求項４ないし９のいずれかの発明による作用・効果が得られるほか、訓練に参加する場所のどこからでも、例えば既存の回線インフラを用いて同じデータを表示することができるとともに、離れた場所でもプラント挙動進展にずれが生じることがなく、効果的な訓練を行うことができる。また、表示設定を遠隔地でできるようにしたことで、装置基本部を訓練のたびに使用場所に移動しなくとも、さまざまな場所で本装置の有する機能を使うことが可能となるだけでなく、ユーザーに訓練装置機能の使用を提供することにより、ユーザーは装置基本部を所有しなくとも、端末装置だけあれば、本装置の機能を使用することが可能となる。
【００２１】
また、請求項１１に記載の発明は、請求項４ないし１０のいずれかに記載の訓練装置において、前記シナリオデータにデータ値の信頼性指標を示す情報を追加する信頼性情報設定部と、前記信頼性指標を示す情報を前記シナリオデータに追加して作成した訓練用データを保存する訓練用データ保存部と、を備え、前記表示部は、前記信頼性指標を示す情報とともに前記訓練用データの少なくとも一部を表示するものであること、を特徴とする。
【００２２】
請求項１１の発明によれば、請求項４ないし１０のいずれかの発明による作用・効果が得られるほか、解析コードで作り出したシナリオデータにデータ値の信頼性情報を付加することにより、実際のプラントから得られるプロセス値に近いものとなり、より実践に近い訓練を行うことが可能となる。
【００２３】
【発明の実施の形態】
本発明に係る訓練装置の一実施の形態の構成例を、図１を参照して説明する。装置基本部２０は、シナリオデータ保存部１、信頼性情報設定部２、訓練用データ保存部３、データ表示部４、表示条件設定部５、ピーク値判定部６、表示データ保存部７、表示データ配信部８、パスワード登録部１０を有する。
【００２４】
表示データ配信部８はルータ２２に接続され、ルータ２２は、ＬＡＮを介して、または回線網、インターネットなどの通信回線を通じて端末装置９に接続されている。表示データ配信部８、ルータ２２、端末装置９などの機能については後述する。
【００２５】
シナリオデータ保存部１はシナリオデータを保存するものであり、シナリオデータとは、例えば、プラント解析コード等を用いて作成したプラント挙動を示す時系列データである。信頼性情報設定部２は、シナリオデータを読み込み、データ値の信頼性指標を示す情報をユーザーの要求に従って設定して訓練用データとし、これを訓練用データ保存部３に格納する。
【００２６】
シナリオデータと訓練用データの構成例をそれぞれ、図２および図３に示す。
信頼性指標を示す情報とは、図３に示す信頼性情報であり、例えば正常の場合は０（ゼロ）、上下限値を逸脱している場合は１、センサー自体の故障等で測定できない場合には２、という形でデータ値に対して設定される。
【００２７】
ユーザーは、例えば図４（ａ）に示す対話画面において、上下限値で設定するか、期間で設定するかを選択する。上下限値で設定を選択した場合には、図４（ｂ）に示すように、パラメータごとに表中に上下限値を入力する。各パラメータが入力された上下限値を超えた値となった場合には、データ値の信頼性情報を１（上下限逸脱）としてこれを「不良」とし、それ以外の場合には０（正常）とする。
【００２８】
期間で設定する場合には、図４（ｃ）に示すように、パラメータごとに表中に開始時系列番号と終了時系列番号を入力する。入力された開始時系列番号と終了時系列番号の間の範囲ではデータ値の信頼性情報を２（不良）とし、それ以外の場合には０（正常）とする。
なお、シナリオデータと訓練データとの間でデータ変換等が必要な場合には、信頼情報設定部２にて表示に適したデータに変換を行う。
【００２９】
一般に、解析コードでは、実際のプラントで測定できない範囲の値でも計算によって出力する。一方、プラントの緊急時で機器が正常に動作していないような事象でも機器の故障等でデータ値が取得できないような事態は模擬することができない。このため、その解析データを使用して防災訓練を実施しても実態と異なってしまう可能性がある。上記実施の形態によれば、解析コードで作り出したシナリオデータにデータ値の信頼性情報を付加することにより、実際のプラントから得られるプロセス値に近いものとなり、より実践に近い訓練を行うことが可能となる。
【００３０】
次に、図１に示す訓練装置の実施の形態の表示条件設定部５等の機能について説明する。データ表示部４は、表示条件設定部５からの指令に従い、訓練用データ保存部３から訓練用データの内容を読み出し、周期的にデータを更新しながら表示を行う。データ表示部４は数種類のプラントの状態把握に必要な画面を有している。図５（ａ）はプラントの主要パラメータを選択してトレンドグラフとして表示する画面の例であり、図５（ｂ）はプラントの主要パラメータをサマリとして表示する画面の例である。
ユーザーは、例えば図６に示す対話画面において、表示条件の設定を行ない、データ表示部４は設定された条件に従い、データの表示を行う。
【００３１】
まず、図６（ａ）に示すデータ時刻条件設定画面で、訓練用データの時刻条件を設定する。ここで、データ先頭時刻とは、訓練用データの最初の時系列データの時刻であり、単位時間とは、１番目と２番目のデータのデータ間隔を示す。図６（ａ）に示す例では、データ先頭時刻２００１／１０／２０　００：００：００で単位時間が６０秒となっている。この場合には、訓練用データの２番目のデータは２００１／１０／２０　００：０１：００と解釈する。データ先頭時刻はデフォルトで、本装置の内部時計時刻があらかじめ設定されている。
【００３２】
次に、画面に表示するデータ時刻について、表示方法を選択する。内部時計をそのまま表示するか、訓練用データのデータ時刻条件設定にの時刻に合わせたデータ時刻を表示するかを選択する。
【００３３】
次に、データ読み込み条件の指定について図６（ｂ）を参照して説明する。ここでは、条件を設定する時間の範囲を登録開始時系列番号と登録終了時系列番号により設定し、早回し、間引き、読み飛ばし、読み込み停止の中から処理方法を指定する。
【００３４】
早回しの場合、その間の更新速度を例えば１〜１０倍速の間で選択し、登録ボタンを押す（クリックする）と、設定した条件が登録される。倍速度の選択は、画面の表示更新の負荷を考慮し、先に設定した単位時間との関係で、例えば最大倍速が５秒以上になるように、選択範囲が限定される。
【００３５】
間引きの場合は、各パラメータとも指定した数値ずつ時系列方向にデータを飛ばして読み込まれる。例えば、５が指定された場合には、時系列番号の０、５、１０、・・・というように５個毎のデータを読み込む。読み飛ばしが指定された場合は、指定された時系列番号間のデータは読み飛ばしする。読み込み停止が指定された場合には、登録開始時系列番号に指定されたデータを最後として読み込みを停止する。ユーザーが何も指定していない時系列番号の間は１倍速として設定される。
【００３６】
データ読み込み条件の指定で設定した内容は、表示条件設定部５に一定個数分記憶しておくことができ、次回からは設定内容を再利用することもできる。また、データ読み込み条件の設定は、データ読み込み中にオンラインで設定することも可能である。データ読み込み中にオンラインで設定を行うときに進捗状況を把握できるよう、現在時系列番号を対話画面上に表示する。
【００３７】
次に、データ読み込み開始要求について、図６（ｃ）を参照して説明する。データの読み込み開始は、要求時点からすぐ読み込むか、読み込み開始時刻をタイマーとして指定するかのいずれかを選択することができる。
表示条件設定部５は、表示条件より更新周期を算出し、設定された表示条件と共にデータ表示部４に渡す。
【００３８】
データ表示部４に渡す情報の例を図７に示す。まず、データ先頭時刻と表示時刻が指定される。表示時刻は、例えば、１の場合は内部時計に合わせ、２でデータ時刻に合わせる。読み込み開始時刻は、今すぐを指定された場合でも、要求実行された時点で時刻の形で渡される。開始時系列番号、終了時系列番号、要求種別、データ読み込み間隔、更新周期がある。要求種別は、例えば、１の場合早回し、２の場合間引き、−１で読み飛ばし、９９で読み込み停止となる。
【００３９】
更新周期は、早回しの場合には、
更新周期＝単位時間／倍速度
となり、間引きの場合には、
更新周期＝単位時間
となる。
データ読み込み間隔は、いくつおきにデータを読むかを指定したものであり、早回しの場合は１、間引きの場合は間引きの設定値になる。
【００４０】
データ表示部４は、条件に合わせて訓練用データ保存部３内のデータを更新周期の時間で周期的に読み込み、表示する。この詳細手順を図８を参照して以下に説明する。
【００４１】
ステップＳ１で、表示条件設定部５より渡されたユーザーの入力した表示条件を読み込み、ステップＳ２でデータ読み込み開始時刻を判定する。データ読み込み開始時刻がゼロの場合は直ちにステップＳ５へ進んで訓練データの読み込みを行う。
【００４２】
ステップＳ２でデータ読み込み開始時刻がゼロ以外の場合、すなわち、データ読み込み開始時刻が未来の時刻で指定されている場合には、ステップＳ３で周期的に時刻をチェックして、指定時刻以降になったとき、すなわち内部時刻がデータ読み込み開始時刻より大きくなったときに、ステップＳ５へ進んで、訓練用データ保存部３からの訓練データ読み込みを行う。
【００４３】
訓練データの読み込みの後に、ステップＳ６で表示条件読み込みを行う。ここで、訓練データが終了したら、ステップＳ７から終了に向かう。訓練データが終了していない場合は、ステップＳ８、Ｓ９で、データの時系列番号を、表示条件設定部５より渡された表示条件データの開始時系列番号、終了時系列番号と比較して要求種別を判定する。
【００４４】
ステップＳ９で、要求種別が「停止」の場合は直ちに終了へ向かう。ステップＳ９で要求種別が「読み飛ばし」の場合は、ステップＳ１０で、指定された時系列番号までポインタを進める操作を行い、その後、ステップＳ５へ戻る。
【００４５】
ステップＳ９で要求種別が「間引き」、「早回し」、「１倍速」のいずれかの場合は、ステップＳ１１で画面表示を行う。その後、ステップＳ１２で読み込み周期時間を待ち、その後、ステップＳ１３でポインタを進め、その後、ステップＳ５へ戻る。
【００４６】
画面表示の内容は表示条件設定部５で設定された内容に従い、画面上にデータ時刻を表示する。データ時刻は、内部時刻に合わせる場合は、間引き、早回しに関わらず、内部時計の実時刻を表示する。データに合わせる場合、早回し、間引きの場合のいずれも、
先頭時刻＋単位時間×連番号
で表わされる。
【００４７】
データを間引く際の間引き方として、指定した数毎一定間隔で間引きする以外にも、ピーク値を採用する方法もある。ピーク値判定部６は、この場合のピーク値を判定する。
【００４８】
ピーク値の指定方法としては、例えば、パラメータ毎に期間内での最大、最小値をピックアップする方法と、どれか一つのパラメータに着目し、そのパラメータの範囲内での最大、最小値を示している時系列番号に合わせて全てのパラメータを読み込む方法がある。いずれかの方法を選択してピーク値の判定を行う。
【００４９】
ここで、最大、最小の抽出方法について説明する。ピーク値判定部は間引き間隔Ｓが指定されている場合、Ｓ個のデータから最大、最小を抽出すると間引き率はＳ／２になる。間引き率を変えずに、最大、最小のピーク値を判定するために、データの抽出はＳ×２個のデータに対して、最大値と最小値の判定を行う。例えば、間引きの設定値が５なら最大、最小の抽出は１０個のデータ期間の中で判断する。同じ値が複数の時系列番号で重なる場合には、例えば、時系列番号の小さい方を選択する。
【００５０】
上記最大、最小の判定方法の処理手順の例を図９のフローチャートを参照してさらに説明する。ステップＳ３１で、間引き間隔Ｓを設定し、ステップＳ３２で訓練データの読み込みを行う。次に、ステップＳ３３でカウント値ｉを１とし、ステップＳ３４で、ｎ＋ｉの値をＭＡＸ、ＭＩＮにする。ただし、ｎは時系列番号である。
【００５１】
次に、ステップＳ３５でｉを１だけ増やし、ステップＳ３６でｎ＋ｉ番目の訓練データを読み込む。ステップＳ３７で、ＭＡＸとｎ＋ｉ番目の訓練データの値を比較し、前者の方が小さい場合はステップＳ３８で、ＭＡＸをｎ＋ｉ番目の訓練データで置き換え、ＭＡＸｎをｎとする。次に、ステップＳ３９で、ＭＩＸとｎ＋ｉ番目の訓練データの値を比較し、前者の方が大きい場合はステップＳ４０で、ＭＩＸをｎ＋ｉ番目の訓練データの値で置き換え、ＭＩＸｎをｎとする。
【００５２】
次にステップＳ４１でｉとＳ×２を比較し、前者の方が小さいときはステップＳ３５に戻り、その他の場合はステップ４２へ進んで、次の起動指令を待つ。
全てのパラメータについて、それぞれ最大、最小値を算出する場合は、最大、最小の判定処理をパラメータ分繰り返す。
【００５３】
次に、どれか一つのパラメータに着目し、そのパラメータの範囲内での最大、最小値を示している時系列番号に合わせて全てのパラメータを読み込む方法について説明する。ピーク値判定部６は、指定されたパラメータについて、次に読み込むべき、Ｓ（間引き間隔）×２個分のデータを訓練用データ保存部３より読み込み、上限と下限のピークを持つ時系列番号を判定し、データ表示部４に通知する。データ表示部４は通知された時系列番号に合わせて、全パラメータを抽出して表示する。
【００５４】
例えば、指定された一つのパラメータについて図９の手順を行ない、これによって求まったＭＡＸｎとＭＩＮｎの時系列番号をデータ表示部４に渡し、データ表示部４は訓練用データ保存部３よりＭＡＸｎとＭＩＮｎの位置のデータを全パラメータ分読み込む。
データ表示部４が読み込んで表示したデータをデータ保存部７に記録し、再利用することも可能である。
【００５５】
表示条件設定部５において、例えば図１０に示すようにトレンドグラフ画面上で登録開始時刻と登録終了時刻を指定して期間を設定することもできる。図６のデータ読み込み方法の指定対話画面で「グラフで指定する」ボタンを押下（クリック）すると図１０の画面（ウィンドウ）が重ねて表示される。登録したい場所にグラフのカーソルを持っていき、開始番号決定もしくは終了番号決定ボタンを押すと、その期間が図６の登録開始時系列番号と登録終了時系列番号に設定される。
【００５６】
以上述べたように、この実施の形態によれば、データの表示速度を複数の任意の期間で任意に設定することにより、データを欠くことなく、プラント挙動変化に合わせ、挙動変化の多い部分は低速で、変化の少ない部分は高速で表示することができるため、訓練時間が短い場合でも、防災訓練が効率よく、効果的に行うことが可能となる。
【００５７】
また、その場の状況に応じて訓練用データの表示速度をオンラインで任意に変えることができるため、訓練中の急な変更にも柔軟に対応できるばかりでなく、訓練前の準備の段階で訓練用データを表示確認する際にも、注意したい部分を低速で、挙動のなだらかな部分を高速で表示進展させながら、事前の準備段階の確認も効率よくできる。
【００５８】
さらに、データの間引き間隔を複数の任意の期間で任意に設定することにより、一律ではなくプラントの挙動に合わせて間引く、または、読み飛ばすことができるため、訓練用データの単位時間が例えば１秒と短い場合でも、データを間引き表示することにより、表示負荷を上げることなく、スムーズな画面の更新を行うことが可能となる。
【００５９】
また、プラント事象のポイントとなる特定のパラメータのピーク値に合わせて間引くことにより、事象の特徴を損なわずにデータの間引きを行うことが可能となる。また、データの間引き間隔をオンラインで変更することにより、防災訓練当日の急な時間の変更等にも臨機応変に対応できるばかりでなく、表示画面を見ながら間引き間隔を調整できるので、事前の準備段階の確認も効率よくできる。
【００６０】
さらに、グラフでプラントの挙動を見ながら設定することにより、プラント挙動の変化に合わせた、早回し、間引き等の設定を簡単に行うことができる。また、データの間引きを行う際に、間引き間隔の２倍の間隔で、上限値、下限値を抽出して間引くことにより、データの全体の間引き率を変えることなく、上限値、下限値の両方を考慮したデータの間引きを行うことができる。
【００６１】
また、データの間引きを行う際に、事象の特徴に合った特定のパラメータに注目して、そのパラメータの、上限値、下限値を示す時刻位置に合わせてデータを抽出して間引くことにより、同一時刻での各パラメータの相互関係を損ねることなく、事象の特徴を反映してデータを間引くことが可能となる。
【００６２】
また、シナリオデータの読み込みの進み具合を、番号、位置などで表示条件を設定する対話画面上に具体的に表示することにより、オンラインでの表示条件の変更を行う際に、わかりやすい。
【００６３】
次に、図１に示す表示データ配信部８、パスワード登録部１０、ルータ２２、通信回線２４、端末装置９などの機能について説明する。
表示データ配信部８は、データ表示部４に表示されている画面をウェブ配信し、ＬＡＮや、公衆回線、インターネット等の通信回線２４を介して接続されたブラウザ機能を有する端末装置９で、配信された画面を参照および表示条件の設定を行うことができる。
【００６４】
端末装置９を接続するためには、例えばルータ２２等に相手先の電話番号等を登録しておくなどして、接続できる端末装置９を事前に限定するとともに、パスワードを、パスワード登録部１０よりあらかじめ登録しておく必要がある。
【００６５】
さらに、端末装置９より表示条件の設定を行うためには、専用のパスワードを登録する必要があり、メニューなどから表示条件の設定対話画面を開こうとしたときに、ユーザーＩＤとパスワードの入力を促す。ユーザーをパスワードにより識別し、パスワードの一致しないユーザーに対しては、表示条件の設定操作は許可しない。パスワードの登録は、消去変更が容易にできるよう、登録用の対話機能を設けておく。また、パスワードには期限を設け、過去の一定回数、例えば過去１０００回に使用したパスワードは登録できないようにしている。
【００６６】
このように、遠隔地の端末装置９に表示することにより、訓練に参加する場所のどこからでも既存の回線インフラを用いて、同じデータを表示することができるとともに、離れた場所でもプラント挙動の進展にずれが生じることがなく、効果的な訓練を行うことができる。また、表示設定を遠隔地でできるようにしたことで、装置基本部２０を訓練のたびに使用場所に移動しなくとも、さまざまな場所で本装置の有する機能を使いこなすことが可能となるだけでなく、ユーザーに訓練装置機能の使用を提供することにより、ユーザーは装置基本部２０を所有しなくとも、端末装置９だけあれば、本装置の機能を使用することが可能となる。
【００６７】
【発明の効果】
請求項１ないし３の発明によれば、解析コードで作り出したシナリオデータにデータ値の信頼性情報を付加することにより、実際のプラントから得られるプロセス値に近いものとなり、より実践に近い訓練を行うことが可能となる。
【００６８】
請求項４ないし１１の発明によれば、データの表示速度を任意に設定することにより、例えばプラント挙動変化に合わせて、挙動変化の多い部分は低速で、変化の少ない部分は高速で表示するため、訓練時間が短い場合でも、防災訓練を、効率よく効果的に行うことが可能となる。
【図面の簡単な説明】
【図１】本発明に係る訓練装置の一実施の形態の構成を示すブロック図。
【図２】図１の実施の形態におけるシナリオデータの構成例を示す図。
【図３】図１の実施の形態における訓練用データの構成例を示す図。
【図４】図１の実施の形態におけるデータ値の信頼性情報の設定画面の例を示す図であって、（ａ）は信頼性情報の設定方法を選択するための画面、（ｂ）は上下限値で設定する場合の画面、（ｃ）は期間で設定する場合の画面を示す。
【図５】図１の実施の形態における表示データ部の表示画面の例を示す図であって、（ａ）はプラントの主要なパラメータを選択してトレンドグラフとして表示する画面、（ｂ）はプラントの主要パラメータをサマリとして表示する画面を示す。
【図６】図１の実施の形態における表示条件設定画面の例を示す図であって、（ａ）はデータ時刻条件設定のための画面、（ｂ）はデータ読み込み方法の指定のための画面、（ｃ）はデータ読み込み開始要求の設定のための画面を示す。
【図７】図１の実施の形態における表示条件設定部からデータ表示部へ渡すデータの構成例を示す図。
【図８】図１の実施の形態における表示条件設定手順の例を示すフローチャート。
【図９】図１の実施の形態における表示条件設定手順の中で使用される最大値、最小値の抽出方法の例を示すフローチャート。
【図１０】図６（ａ）の画面で「グラフで指定する」を選択した場合に表示される期間指定画面の例を示す図。
【符号の説明】
１…シナリオデータ保存部、２…信頼性情報設定部、３…訓練用データ保存部、４…データ表示部、５…表示条件設定部、６…ピーク値判定部、７…表示データ保存部、８…表示データ配信部、９…端末装置、１０…パスワード登録部、２０…装置基本部、２２…ルータ、２４…通信回線。
【図１】
2004037847.tif 000003
【図２】
2004037847.tif 000004
【図３】
2004037847.tif 000005
【図４】
2004037847.tif 000006
【図５】
2004037847.tif 000007
【図６】
2004037847.tif 000008
【図７】
2004037847.tif 000009
【図８】
2004037847.tif 000010
【図９】
2004037847.tif 000011
【図１０】
2004037847.tif 000012